(57)【特許請求の範囲】
【請求項１】
様々なサイズや外形の吊り下げ対象物の外周を確実に保持するため、一方の面に滑り止め材を備えた柔軟な帯の一端に、吊り下げ対象物の外周に添って巻きつけた帯をかけて折り返すための支軸を備えた環を配し、その環や帯を通すことのできる輪状部を一つ以上設けた細紐に掛け具をつけて使用する吊り下げ具であり、吊り下げ対象物のサイズや外形に応じて、紐の輪状部の位置を自在に調整し最適なバランスや向きで対象物を吊り下げ可能とすることを特徴とする吊り下げ具。
【請求項２】
様々なサイズや外形の吊り下げ対象物に応じて、帯をどの部分で折り返しても係合力が発生するように、滑り止め材を備えている帯の他方の面全体に、互いに係合する係合素子を備えることを特徴とする請求項１の吊り下げ具。
【発明の詳細な説明】
【技術分野】
【０００１】  本発明は、哺乳瓶・ペットボトル・コップ・水筒のような内部を布巾で、拭いて乾燥させることのできない口の狭い容器等の吊り下げ具に関するものである。
【背景技術】
【０００２】  ジュース，お茶，コーヒーなど飲料水の容器の場合には、こぼれ難く且つ飲みやすくするために、容器の飲み口が小さくなっている。しかし、使用した都度洗浄乾燥させるため下向きに置くが、容器の飲み口が乾燥かごに接触したままになる。この場合、容器の中の水分が流れ出し、飲み口の部分が乾燥かごに接触した状態で湿った状態が続くことになる。このために、容器自体の形状について、改良を行うことで対応する文献が出されている。
【先行技術文献】
【特許文献】
【０００３】  （特許文献１  特開２００４−１８１１７０公報）
（特許文献２  特開２００１−３０９８４１公報）
（特許文献３  実開平１−５６７６２公報）
（特許文献４  登録実用新案第３０６３１６２公報）
（特許文献５  特許第２９５５８５２公報）
（特許文献６  実開平１−１７７９８０公報）
（特許文献７  実開平２−２０６７公報）
（特許文献８  実開昭５７−１８９８１公報）【０００４】  これらの文献は、取っ手のあるコップや、容器の底にハンガー形フックを取り付けるなど容器の形状自体を工夫して容器を乾燥させるものであり、既成の市販容器に対応したものではない。
【発明の概要】
【発明が解決しようとする課題】
【０００５】  本発明は、以上の実情に鑑み提案されたもので、容器本体の形状を問わずに容器を吊り下げて、これら容器の水切りに手間をかけずに、衛生的に自然乾燥を早めカビや汚れの付着を防ぐ吊り下げ具の提供を第１の目的とする。【０００６】  本発明は、径の異なる種々の容器に対しても自在に適応できる吊り下げ具の提供を第２の目的とする。【０００７】  本発明は、保管場所をとらず、持運ぶ際にも嵩張らず携帯可能となる吊り下げ具の提供を第３の目的とする。
【課題を解決するための手段】
【０００８】  吊り下げ具は、一端に環を配して一方の面に滑り止め材を備えた柔軟な帯に、掛け具をつけて構成される。好ましくは、環に、吊り下げ対象物の外周に添って巻きつけた帯をかけて折り返すための支軸を備え、滑り止め材を備えている帯の他方の面全体に、互いに係合するフック部とループ部等の係合素子を備えるようにする。
本発明は、以上の構成からなる容器等の吊り下げ具である。
【発明を実施するための形態】
【０００９】  様々なサイズや外形のものを、同一の道具を用い同一の方法にて容易に吊り下げるためには、吊り下げ対象物の外形に応じて、対象物をきちんと保持する必要がある。そのために、吊り下げ対象物の外形に応じて、自在に沿うことができ、かつ、対象物を取り囲む締着力と、対象物との摩擦力を維持する構造が必要である。そして、その構造に掛け具をつけることにより、吊り下げ対象物を、上向き下向きを問わず好みの向きで吊り下げることを可能にする。
以下、本発明の実施の形態について説明する。
（イ）    柔軟な帯（１）の吊り下げ対象と接する側の面に、摩擦力を強化するための滑り止め材（２）を、径や形状の異なる種々の吊り下げ対象物（８）の外周面にピッタリ沿わせるため、帯の柔軟性を損なわない範囲で備える。図１、図２、図３ＡＢ、図４の（２）参照
（ロ）    吊り下げ対象物（８）の外周に帯（１）を巻きつけて締めるために、柔軟な帯（１）の一端に環（３）を配する。中央に支軸を備えている環を使用することもできる。図１、図２、図３ＡＢ、図４の（３）参照
掛け具の取り付け方の例は、以下の通り。一端を環にした紐（４）を柔軟な帯（１）の一端に環（３）を配し、その環（３）や帯（１）を通すことのできる輪状部を一つ以上設けた紐（４）を備える。紐（４）の輪状部に帯（１）を一箇所以上通し、紐（４）にＪ形等の鈎、又は、カラビナ、吸盤、磁石、などの掛け具を取り付けて、どこにでも吊り下げられる様にしたもの。掛け具のＪ形鈎は図１の（７）参照。
本発明は、以上のような構成である。
これを使用するときは、あらかじめ、吊り下げ対象物（８）の径のサイズに合わせて帯（１）の適切な位置に紐（４）の輪状部を一箇所以上通しておき、環（３）に接続された柔軟な帯（１）の滑り止め材（２）側を吊り下げ対象物の外周面（８）に密着させながら捲着する。図１参照
そして、帯（１）の環（３）に接続されていない端を環（３）に挿し通す。図１参照。
帯の滑り止め材（２）を備えている側の裏面にフック部（５）とループ部（６）等の係合素子を備えている場合は、環（３）から帯（１）を折り返して、吊り下げ対象物（８）の外周と折り返し部のフック部（５）とループ部（６）の係合素子をしっかり掛け合わせる。これにより、吊り下げ対象物（８）は、摩擦力と係合素子の係合力により確実に保持される。図４参照
帯（１）にフック部（５）とループ部（６）の係合素子を備えているかいないかに関わらず、環（３）の中央に支軸があるものを使用する場合は、一度、支軸に帯（１）をかけてから、帯（１）を折り返し、吊り下げ対象物（８）を保持する。
環（３）と紐（４）が接続されている場合は、帯（１）と紐（４）の位置関係のずれも防止でき、吊り下げ対象物（８）から帯（１）を外した場合でも紐（４）を紛失するおそれもない。
【発明の効果】
【００１０】  従来のように、容器の形状自体に工夫がされていなくても、現実に市販されているさまざまな形態の容器等を吊り下げることができ、容易に第１の目的を達成できる。
自在にサイズ適応が可能なため、一つ所有するだけで、さまざまな径や形の容器等を吊り下げることができる。  これにより第２の目的を達成できる。
単純な構造であるため、大きさも嵩張らず、持ち運びにも便利で外出先に携帯しやすくなった。これにより第３の目的を達成できる。さらに、対象物の形状や特性により、特定の向きで吊り下げたいものがあれば、この構成を用いて容易に吊り下げることができる。
【図面の簡単な説明】
【００１１】
【図１】  本発明による容器の吊り下げ具の使用状態を示した斜視図である。
【図２】  本発明による容器の吊り下げ具の帯（１）と環（３）を示した斜視図である。
【図３】  Ａ本発明による吊り下げ具の帯（１）と環（３）の正面図である。Ｂ本発明による容器の吊り下げ具の帯（１）と環（３）の側面図である。
【図４】  本発明による容器の吊り下げ具の帯（１）と環（３）と係合素子フック部（５）、係合素子ループ部（６）を示した斜視図である。
【符号の説明】
【００１２】１  帯
２  滑り止め材
３  環
４  紐
５  係合素子フック部
６  係合素子ループ部
７  Ｊ形鈎
８  吊り下げ対象物本体
９  環の支軸
【図１】
0004630966.tif 000002
【図２】
0004630966.tif 000003
【図４】
0004630966.tif 000004
【図３】
0004630966.tif 000005